(57)【要約】【課題】バックライトの電線がリヤフレームのシャープエッジで傷ついたり、断線したりする不具合が発生するのを抑制するとともに、複数の陰極管を、前記リヤパネルの適正な位置に容易に配置することができる液晶表示装置を提供する。【解決手段】リヤフレーム１の底面部には矩形状の貫通孔１４が形成されており、ランプソケット３１の電線取付部３１１がリヤフレーム１の底面部１１に形成された貫通孔１４に挿入させて、電線取付部３１１は一部が貫通孔１４より外部に突出させる。【選択図】図３
2008116835.tif 000002
【特許請求の範囲】
【請求項１】
長方形状の底面部を備えたリヤフレームと、
前記リヤフレームに取り付けられた反射シートと、
前記反射シートの上方に配置されたＵ字状に折り返す形状を有する３個の陰極管と、前記陰極管の両端部を同時に保持し、該陰極管を密閉するランプソケットと、前記ランプソケットに取り付けられ前記陰極管に電力を供給する電線とを備えたバックライトと、
下側に前記バックライトを保持する保持部を備えたライトフレームと、
前記ライトフレーム上に配置された拡散板と、
前記拡散板に重ねて配置された２枚の拡散シートと、
前記拡散板及び前記拡散シートの外周部を押さえるように配置された枠状のセルガイドと、
前記セルガイドの上部に配置された液晶セルと、
中央に形成された開口部を備えたベゼルとを有する液晶表示装置であって、
前記リヤフレームの底面部には３個の矩形状の貫通孔が形成されており、
前記ランプソケットには前記電線を取り付ける電線取付部が下方に一体的に形成されており、
前記ランプソケットは前記電線取付部が前記貫通孔に挿入され、前記電線取付部の先端が前記リヤフレームの底面部より外部に突出するように取り付けられていることを特徴とする液晶表示装置。
【請求項２】
長方形状の底面部を備えたリヤフレームと、
前記リヤフレームの上方に配置された陰極管と、前記陰極管の端部に取り付けられ、該陰極管を密閉するランプソケットと、前記ランプソケットに取り付けられ前記陰極管に電力を供給する電線とを備えたバックライトとを有する液晶表示装置であって、
前記リヤフレームの底面部には複数の貫通孔が形成されており、
前記ランプソケットは下方に張り出し前記電線を取り付ける電線取付部を有しており、
前記ランプソケットは前記電線取付部が前記貫通孔に挿入され、前記電線取付部のすくなくとも先端が前記リヤフレームの底面部より外部に突出するように取り付けられていることを特徴とする液晶表示装置。
【請求項３】
前記ランプソケットと前記電線取付部とが一体に形成されていることを特徴とする請求項２に記載の液晶表示装置。
【請求項４】
前記陰極管はＵ字状に形成された折り返し部を備えていることを特徴とする請求項２又は請求項３に記載の液晶表示装置。
【請求項５】
前記ランプソケットは前記陰極管の両端部を同時に保持し、該陰極管を密閉することを特徴とする請求項４に記載の液晶表示装置。
【請求項６】
前記貫通孔は前記ランプソケットの電線取付部が貫通することができる形状であることを特徴とする請求項２から請求項５のいずれかに記載の液晶表示装置。
【発明の詳細な説明】
【技術分野】
【０００１】
本発明は、液晶表示装置に関するものであり、より詳しくは、背面に配置された光源であるバックライトに電力を供給するワイヤの断線するのを予防するためのバックライトの取付構造に関するものである。
【背景技術】
【０００２】
液晶表示装置は、薄型、軽量、低消費電力であり、ノートＰＣ、ＰＣ用モニタ、家庭用ＴＶ受像機等に広く用いられている。前記液晶表示装置は、バックライトより出射された光を液晶セルに透過させ、映像を形成するものである。前記液晶表示装置は前記バックライトから出射された光を反射する反射シート、前記バックライトから出射された光及び前記反射シートで反射された光を拡散させるための拡散板及び前記拡散板と重ねて配置され光の拡散効果を高めるための拡散シート等の光学部材を備えている。
【０００３】
前記液晶表示装置では、前記反射シートはリヤフレームに接着用シートで貼り付けられるものであり、該反射シートを前記リヤパネルに取り付けた後にバックライトが取り付けられる。リヤフレームに反射シート及びバックライトが配置され、該バックライトを固定するためのライトフレームが配置される。前記拡散板及び前記拡散シートは、該拡散シートを該拡散板に重ね、前記ライトフレームに載せた状態で上部よりガイド部材で押さえて取り付けられている。
【０００４】
前記液晶表示装置がねじれや曲げ等、変形するのを抑制するためには、前記リヤフレームを十分な強度を有するものとしなくてはならない。そこで、特に変形しやすい大型の気象表示装置では十分な強度を確保するために金属製のリヤフレームが利用されていることが多い。前記リヤフレームは製造工程を短縮し、製造コストを抑制するために板金をプレス加工にて切り曲げて形成されるものが広く使われている。
【０００５】
前記バックライトは陰極管を備えており、該陰極管に電力を供給することで発光させるものである。前記陰極管にはランプホルダが備えられており、前記ランプホルダには電力を供給するための電線が取り付けられている。前記電線はリヤフレームの外部に備えられている電源装置に接続されている。前記リヤフレームは上述したように板金を切り曲げて作製されるものであり、切断短部は鋭く尖った部分、いわゆるシャープエッジが形成される。
【０００６】
前記電線が前記シャープエッジでこすれると、該電線の被覆が削れ該電線が露出し、ショートしてしまったり、該電線が切れてしまったりする不具合が発生する。前記電線の被覆が損傷し、前記電線内を流れている電気が漏れると、誤作動の原因になったり、発熱、発火の原因になったりする。また、使用者が触れると感電する恐れもあり、安全に使用することができなくなる。
【０００７】
そこで、前記電線の前記シャープエッジと接触する或いは接触する可能性のある部分に保護部材を取り付けるものが提案されている（例えば特開２００３−６８１２５号公報等）。保護部材を取り付けることで、前記シャープエッジと前記保護部材がこすれても、前記保護部材は削れるが、前記電線の被覆が削れるのを抑制することが可能である。
【０００８】
【特許文献１】特開２００３−６８１２５号公報
【発明の開示】
【発明が解決しようとする課題】
【０００９】
しかしながら、前記シャープエッジでこすれて電線が傷ついたり、断線したりするのを防ぐために前記保護部材を取り付けるものの場合、該保護部材を別途用意しなくてはならず、部品点数が増え、液晶表示装置の製造コストが高くなる。
【００１０】
また、前記シャープエッジで前記保護部材が削れ続けると、前記電線の被覆にシャープエッジが到着し、前記シャープエッジが前記電線を傷つけることもある。つまり、前記保護部材を取り付けることで前記シャープエッジによる前記電線の損傷を遅らせることはできるが、損傷をとめることは難しい。
【００１１】
そこで本発明は、バックライトの電線に保護部材を取り付けなくても、前記電線がリヤフレームのシャープエッジで傷ついたり、断線したりする不具合が発生するのを抑制することができる構造を有する液晶表示装置を提供することを目的とする。
【００１２】
また本発明は、バックライトをリヤパネルに取り付けるときに、前記バックライトを形成する複数の陰極管を、前記リヤパネルの適正な位置に容易に配置することができる構造を有する液晶表示装置を提供することを目的とする。
【課題を解決するための手段】
【００１３】
上記目的を達成するために本発明は、長方形状の底面部を備えたリヤフレームと、前記リヤフレームの上方に配置された陰極管と、前記陰極管の端部に取り付けられ、該陰極管を密閉するランプソケットと、前記ランプソケットに取り付けられ前記陰極管に電力を供給する電線とを備えたバックライトとを有する液晶表示装置であって、前記リヤフレームの底面部には複数の貫通孔が形成されており、前記ランプソケットは下方に張り出し前記電線を取り付ける電線取付部を有しており、前記ランプソケットは前記電線取付部が前記貫通孔に挿入され、前記電線取付部のすくなくとも先端が前記リヤフレームの底面部より外部に突出するように取り付けられていることを特徴とする。
【００１４】
この構成によると、前記リヤフレームの前記底面部に形成されている貫通孔の縁に形成される前記シャープエッジと、前記電線取付部とが対面するので、前記電線が前記シャープエッジと接触するのを抑制することができる。
【００１５】
これによって、前記電線が断線して前記陰極管が点灯せずに液晶表示装置の表示性能が低下したり、前記電線の被覆が傷つけられ、漏電することで発生する液晶表示装置の動作不良、破損、発熱及び発火等の不具合が発生したりするのを抑制することができる。
【００１６】
また、前記シャープエッジで前記電線が傷つくのをふせぐために、前記電線に取り付けられる保護部材を必要としないので、それだけ、部品点数が少なくてすみ、製造コストを低減することができる。
【００１７】
上記構成において、前記ランプソケットと前記電線取付部とが一体に形成されているものであってもよい。
【００１８】
上記構成において、前記陰極管はＵ字状に形成された折り返し部を備えているものであってもよい。
【００１９】
上記構成において、前記ランプソケットは前記陰極管の両端部を同時に保持し、該陰極管を密閉するものであってもよい。
【００２０】
上記構成において、前記貫通孔は前記ランプソケットの電線取付部が貫通することができる形状であってもよい。
【００２１】
本発明にかかる液晶表示装置のさらに詳細な例は、以下に示すものであってもよい。すなわち、長方形状の底面部を備えたリヤフレームと、前記リヤフレームに取り付けられた反射シートと、前記反射シートの上方に配置されたＵ字状に折り返す形状を有する３個の陰極管と、前記陰極管の両端部を同時に保持し、該陰極管を密閉するランプソケットと、前記ランプソケットに取り付けられ前記陰極管に電力を供給する電線とを備えたバックライトと、下側に前記バックライトを保持する保持部を備えたライトフレームと、前記ライトフレーム上に配置された拡散板と、前記拡散板に重ねて配置された２枚の拡散シートと、前記拡散板及び前記拡散シートの外周部を押さえるように配置された枠状のセルガイドと、前記セルガイドの上部に配置された液晶セルと、中央に形成された開口部を備えたベゼルとを有する液晶表示装置であって、前記リヤフレームの底面部には３個の矩形状の貫通孔が形成されており、前記ランプソケットには前記電線を取り付ける電線取付部が下方に一体的に形成されており、前記ランプソケットは前記電線取付部が前記貫通孔に挿入され、前記電線取付部の先端が前記リヤフレームの底面部より外部に突出するように取り付けられていることを特徴とする液晶表示装置。
【発明の効果】
【００２２】
本発明によると、バックライトの電線に保護部材を取り付けなくても、前記電線がリヤフレームのシャープエッジで傷ついたり、断線したりする不具合が発生するのを抑制することができる構造を有する液晶表示装置を提供することができる。
【００２３】
また本発明によると、バックライトをリヤパネルに取り付けるときに、前記バックライトを形成する複数の陰極管を、前記リヤパネルの適正な位置に容易に配置することができる構造を有する液晶表示装置を提供することができる。
【発明を実施するための最良の形態】
【００２４】
以下に本発明の実施形態を図面を参照して説明する。図１は本発明にかかる液晶表示装置の一例の分解斜視図であり、図２は図１に示す液晶表示装置の底面図であり、図３は図２に示す液晶表示装置をＸ−Ｘ断面で切断したときの断面図であり、図４は図２に示す液晶表示装置をＹ−Ｙ断面で切断したときの断面図である。なお、図２、図３、図４においては、セルガイド、液晶セル及びベゼルを省略している。図１に示す液晶表示装置はリヤフレーム１、反射シート２、バックライト３、拡散板４、拡散シート５、セルガイド６、液晶セル７、ベゼル８がこの順番に積層されている。
【００２５】
リヤフレーム１金属板を切り曲げて形成されているものであり、矩形状の底面部１１と、底面部１１の長辺の端部より、外側に向けて斜めに立ち上がる立ち上がり部１２と、底面部１１と平行になるように立ち上がり部１２の先端と一体に形成された支持部１３とが形成されている。
【００２６】
反射シート２はリヤフレーム１に取り付けられるものであり、底面部１１と密着する本体部２１と、立ち上がり部１２の内面と密着する接続部２２と、支持部１３と密着する係合部２３とを備えている。反射シート２はバックライト３より出射される光のうちケース１側に向けて出射される光を液晶セル６側に反射するためのものである。
【００２７】
バックライト３は液晶表示装置の光源であり、それには限定されないがここではＵ字状の形状の陰極管３０と、陰極管３０の両端部を保持するとともに電力を供給するためのランプソケット３１とを有している。陰極管３０は中央でＵ字状に折り返す折り返し部３２を有しており、バックライト３は折り返し部３２の近傍とランプソケット３１の近傍をライトフレーム３３で押さえられていることで、リヤフレーム１に固定されている。バックライト３はそれには限定されないがここでは、陰極管３０を３個備えたものである。
【００２８】
拡散板４は矩形状を有しており、ライトフレーム３３に形成されている段差部と係合するとともに、リヤフレーム１の支持部１３と当接して配置される。拡散板４はバックライト３より出射された光及び反射シート２にて反射された光を拡散させ光の強度を均一化するものである。拡散シート５は拡散板４と重ねて配置されるものであり、拡散板４の光の拡散力を補うものである。光の均一度を十分に高めることができる拡散板４を用いることができる場合、拡散シート５を省略しても良い。
【００２９】
ライトフレーム３３の上に配置された拡散板４及び拡散シート５の上からセルガイド６が取り付けられ、拡散板４及び拡散シート５を押さえている。セルガイド６は樹脂で形成されており、長枠部６１と短枠部６２とを連結して形成された、矩形状の枠体である。セルガイド６は枠体で拡散板４及び拡散シート５の外周部を押さえる。セルガイド６の上面には段差部が形成されており、液晶セル７はこの段差部に係合され位置決めされる。セルガイド６はリヤフレーム１及びライトフレーム３３に固定される。また、セルガイド６は枠状の形状であり、中央部に開口６０が形成されている。
【００３０】
拡散板４及び拡散シート５で拡散された光はセルガイド６の中央の開口６０より液晶セル７に照射される。液晶セル７は透明電極が配置されたガラス基板の間に液晶が封入されている。液晶セル７は長方形状を有しており、一方のガラス基板の一方の長辺部にはゲートドライバが取り付けられたゲート基板７１がフレキシブル基板７０を介して取り付けられている。また、他方のガラス基板の一方の短辺部にはソースドライバが取り付けられたソース基板７２がフレキシブル基板７０を介して取り付けられている。ゲート基板７１及びソース基板７２より透明電極に電力が供給されることで、液晶を駆動し液晶セル７に映像を形成するものである。
【００３１】
ベゼル８は中央に形成された開口部８０を有している。ベゼル８は図示を省略したボルトを用いてセルガイド６と連結固定されるものであり、それには限定されないが、ここでは、金属板を切り曲げて形成されるものである。ベゼル８がセルガイド６に取り付けられることで、セルガイド６に配置された液晶セル７の側端部が押さえられる。
【００３２】
図２、図３、図４に示すように、リヤフレーム１の底面部には矩形状の貫通孔１４が形成されている。矩形状の貫通孔１４はリヤフレーム１に反射シート２を取り付けても、反射シート２に覆われない位置に形成されている。貫通孔１４は金属板であるリヤフレーム１の底面部１１にプレス等の方法にて、穿孔して形成されるものであり、孔端部は鋭くとがった、いわゆるシャープエッジに形成されている。
【００３３】
図３、図４に示すように、ランプソケット３１はリヤフレーム１の底面部側に突出する電線取付部３１１が形成されている。電線取付部３１１には陰極管３０に電力を供給するための電線３１２が取り付けられている。陰極管３０の開口部にランプソケット３１を取り付け、ランプソケット３１の電線取付部３１１をリヤフレーム１の底面部１１に形成された貫通孔１４に挿入させて、陰極管３０はリヤフレーム１に取り付けられる。
【００３４】
電線取付部３１１は一部が貫通孔１４より突出するように取り付けられており、貫通孔１４の孔端部のシャープエッジは、電線取付部３１１と対面している。これにより、貫通孔１４のシャープエッジが電線３１２と直接接触するのを抑制することができる。このことは、電線３１２に電線３１２をシャープエッジから守るための保護部材を取り付けなくても、電線３１２の損傷が発生するのを抑制することができ、部品点数を減らすことができ、さらには、製造コストを低減することが可能である。
【００３５】
上記実施例において、ソケットは陰極管の開口を有する両端部を同時に保持するものを例に説明しているが、それぞれ、独立して保持するものであっても良い。その場合、底面部１１に形成される貫通孔は、ソケットの大きさに合わせたものであってもよく、両方のソケットを同時に挿入することができるものであっても良い。また、ソケットの形状は直方体形状のものを例示しているが、それに限定されるものではなく、陰極管の開口を有する端部を安定して保持することができる形状のものを広く採用することができる。さらに、リヤフレームの底面部に形成された貫通孔もソケット及びソケットに形成された電線取付部の形状に対応した形状のものを広く採用することができるが、リヤフレームの強度を十分に確保するために、小さい貫通孔とすることが好ましい。
【００３６】
上述の実施例では光源として陰極管３０を用いるものを例に説明しているが、それに限定されるものではなく、液晶セル６に十分な光を入射させることができる光源を広く採用することができるが、発熱量の少ないものが好ましい。また、光源であるバックライト３としてＵ字状の陰極管３０を有するものを例に説明しているが、それに限定されるものではなく、液晶セル６に十分且つ偏らないように光を入射させることができるものを広く採用することができる。また、液晶表示装置として、光源であるバックライト３を２個備えたものを例に説明しているが、それに限定されるものではなく、液晶セル６に十分且つ偏らないように光を入射させることができる個数のものを広く採用することができる。
【００３７】
以上、発明の実施形態を具体的に説明したが、本発明は上記実施形態に限定するものではなく、その要旨を逸脱しない範囲で種々変更可能である。
【産業上の利用可能性】
【００３８】
本発明は、液晶ディスプレイ等の液晶表示装置において適用することができる。
【図面の簡単な説明】
【００３９】
【図１】本発明にかかる液晶表示装置の一例の分解斜視図である。
【図２】図１に示す液晶表示装置の底面図である。
【図３】図２に示す液晶表示装置をＸ−Ｘ断面で切断したときの断面図である。
【図４】図２に示す液晶表示装置をＹ−Ｙ断面で切断したときの断面図である。
【符号の説明】
【００４０】
１  リヤフレーム
１１  底面部
２  反射シート
３  バックライト
３０  陰極管
３１  ランプソケット
３１１  電線取付部
３１２  電線
３２  Ｕ字状の折り返し部
３３  ライトフレーム
４  拡散板
５  拡散シート
６  セルガイド
７  液晶セル
７１  ゲート基板
７２  ソース基板
８  ベゼル
【図１】
2008116835.tif 000003
【図２】
2008116835.tif 000004
【図３】
2008116835.tif 000005
【図４】
2008116835.tif 000006